(57)【要約】【課題】キャリアアグリゲーション(CA)を行うことが可能な通信システムにおいてセカンダリコンポーネントキャリア(SCC又はSCell)の数を変更するのに相応しい契機でSCC数を変更できるようにすること。【解決手段】基地局は、ユーザ装置と通信を行う通信部と、プライマリコンポーネントキャリア(PCC)及びセカンダリコンポーネントキャリア(SCC)をユーザ装置毎に管理する管理部と、SCCを追加又は削除することを示す追加削除メッセージを少なくとも含む制御メッセージを生成する生成部とを有し、所定の測定対象についての測定値と閾値との比較結果に従って管理部がSCCを追加又は削除することを決定した場合、通信部は前記制御メッセージを前記ユーザ装置に通知する。【選択図】図1
2014049931.tif 000002
【特許請求の範囲】
【請求項１】
ユーザ装置と通信を行う通信部と、
プライマリコンポーネントキャリア(PCC)及びセカンダリコンポーネントキャリア(SCC)をユーザ装置毎に管理する管理部と、
SCCを追加又は削除することを示す追加削除メッセージを少なくとも含む制御メッセージを生成する生成部と
を有し、所定の測定対象についての測定値と閾値との比較結果に従って前記管理部がSCCを追加又は削除することを決定した場合、前記通信部は前記制御メッセージを前記ユーザ装置に通知する、基地局。
【請求項２】
前記所定の測定対象についての測定値が、
前記ユーザ装置との無線通信の品質、
当該基地局の処理負荷、又は
前記ユーザ装置が送信又は受信するデータの滞留量
を表す、請求項1記載の基地局。
【請求項３】
ユーザ装置と通信を行う通信部と、
プライマリコンポーネントキャリア(PCC)及びセカンダリコンポーネントキャリア(SCC)をユーザ装置毎に管理する管理部と、
SCCを追加又は削除することを示す追加削除メッセージを少なくとも含む制御メッセージを生成する生成部と
を有し、前記追加削除メッセージとは異なる非追加削除メッセージを前記ユーザ装置に通知する必要が生じた場合に、前記非追加削除メッセージを前記ユーザ装置に通知する際又は通知後に、前記生成部は前記追加削除メッセージを含む制御メッセージを生成し、前記通信部は前記制御メッセージを前記ユーザ装置に通知する、基地局。
【請求項４】
前記非追加削除メッセージは、
前記ユーザ装置の初期アクセスにおいてRRCコネクションの再設定を促すメッセージ、
前記ユーザ装置の再接続においてRRCコネクションの再設定を促すメッセージ、
前記ユーザ装置がハンドオーバを行う場合のハンドオーバコマンドのメッセージ、又は
前記ユーザ装置が間欠受信状態から間欠受信状態でない状態に遷移する際にRRCコネクションの再設定を促すメッセージ
である、請求項3記載の基地局。
【請求項５】
ユーザ装置と通信を行う通信部と、
プライマリコンポーネントキャリア(PCC)及びセカンダリコンポーネントキャリア(SCC)をユーザ装置毎に管理する管理部と、
SCCを追加又は削除することを示す追加削除メッセージを少なくとも含む制御メッセージを生成する生成部と
を有し、SCCを追加することを示す追加削除メッセージを含む制御メッセージを第1の周期で前記生成部が生成し、前記制御メッセージを前記通信部が前記ユーザ装置に通知し、
SCCを削除することを示す追加削除メッセージを含む制御メッセージを第2の周期で前記生成部が生成し、前記制御メッセージを前記通信部が前記ユーザ装置に通知する、基地局。
【請求項６】
ユーザ装置と通信を行う通信部と、
プライマリコンポーネントキャリア(PCC)及びセカンダリコンポーネントキャリア(SCC)をユーザ装置毎に管理する管理部と、
SCCを追加又は削除することを示す追加削除メッセージを少なくとも含む制御メッセージを生成する生成部と
を有し、前記生成部は、前記ユーザ装置からの要求信号に応答して前記追加削除メッセージを含む制御メッセージを生成し、前記通信部が前記制御メッセージを前記ユーザ装置に通知する、基地局。
【請求項７】
ユーザ装置と通信を行う通信部と、
プライマリコンポーネントキャリア(PCC)及びセカンダリコンポーネントキャリア(SCC)をユーザ装置毎に管理する管理部と、
SCCを追加又は削除することを示す追加削除メッセージを少なくとも含む制御メッセージを生成する生成部と
を有し、前記生成部は、所定のベアラの追加削除に伴って、前記追加削除メッセージを含む制御メッセージを生成し、前記通信部が前記制御メッセージを前記ユーザ装置に通知する、基地局。
【発明の詳細な説明】
【技術分野】
【０００１】
開示される発明は移動通信システムにおける基地局等に関連する。
【背景技術】
【０００２】
ロングタームエボリューション(Long  Term  Evolution：LTE)方式に続くLTEアドバンスト(LTE-Advanced)方式の通信システムでは、1つ又は複数のキャリアを用いて通信を行うことができる。複数のキャリアを用いて通信を行うことは、キャリアアグリゲーション(CA)と呼ばれる。CAを行う場合、相対的に信頼性の高いセルがプライマリセル(Pセル)に設定され、Pセルで使用されるキャリアはプライマリコンポーネントキャリア(PCC)と呼ばれる。CAを行う場合において、Pセルと共に通信に使用される他の1つ以上のセルはセカンダリセル(Sセル)に設定され、Sセルで使用されるキャリアはセカンダリコンポーネントキャリア(SCC)と呼ばれる。従来のCAについては非特許文献1に記載されている。
【先行技術文献】
【非特許文献】
【０００３】
【非特許文献１】3GPP  TS36.300  V10.7.0(2012-03)
【発明の概要】
【発明が解決しようとする課題】
【０００４】
しかしながら非特許文献1においては、どのような契機でCAを行うべきか又はCAを行うべきでないかは規定されていないので、このままではSCC数を変更するのに相応しい契機でSCC数を変更することは容易でない。
【０００５】
開示される発明の課題は、キャリアアグリゲーション(CA)を行うことが可能な通信システムにおいてセカンダリコンポーネントキャリア(SCC)の数を変更するのに相応しい契機でSCC数を変更できるようにすることである。
【課題を解決するための手段】
【０００６】
開示される発明による基地局は、
ユーザ装置と通信を行う通信部と、
プライマリコンポーネントキャリア(PCC)及びセカンダリコンポーネントキャリア(SCC)をユーザ装置毎に管理する管理部と、
SCCを追加又は削除することを示す追加削除メッセージを少なくとも含む制御メッセージを生成する生成部と
を有し、所定の測定対象についての測定値と閾値との比較結果に従って前記管理部がSCCを追加又は削除することを決定した場合、前記通信部は前記制御メッセージを前記ユーザ装置に通知する、基地局である。
【発明の効果】
【０００７】
開示される発明によれば、CAを行うことが可能な通信システムにおいてSCCの数を変更するのに相応しい契機でSCC数を変更できるようにすることができる。
【図面の簡単な説明】
【０００８】
【図１】実施の形態で使用される通信システムを示す図。
【図２】CAが行われる例を示す図。
【図３】CAが行われる別の例を示す図。
【図４】基地局が実行する動作例のフローチャート。
【図５】セルの品質の時間変化を示す図。
【図６】基地局の処理負荷の時間変化を示す図。
【図７】ユーザ装置のデータ滞留量の時間変化を示す図。
【図８】図5-7を参照しながら説明したSセルの追加削除方法を並列的に使用する動作例を示すフローチャート。
【図９】ユーザ装置が初期アクセスを行う際の手順を示す図。
【図１０】ユーザ装置が再接続を行う際の手順を示す図。
【図１１】ユーザ装置がハンドオーバを行う際の手順を示す図。
【図１２】ユーザ装置がDRX状態から非DRX状態に移る際の手順を示す図。
【図１３】周期的なタイミングに基づいてSセルの追加削除を行う様子を示す図。
【図１４】ユーザ装置からの要求に応じてSセルを追加又は削除する際の動作例を示す図。
【図１５】ベアラ種別に基づいてSセルを追加する例を示す図。
【図１６】基地局の機能ブロック図。
【発明を実施するための形態】
【０００９】
添付図面を参照しながら以下の観点から実施形態を説明する。図中、同様な要素には同じ参照番号又は参照符号が付されている。
【００１０】
1．通信システム
2．動作例
2.1  Sセル品質に基づくSセル数の変更
2.2  eNB処理負荷に基づくSセル数の変更
2.3  データ滞留量に基づくSセル数の変更
2.4  他のメッセージと共に行うSセル数の変更
2.5  DRX状態遷移と共に行うSセル数の変更
2.6  Sセル数の周期的な変更
2.7  UEからの要求に基づくSセル数の変更
2.8  ベアラ種別に基づくSセル数の変更
3．基地局
これらの項目の区分けは本発明に本質的ではなく、2以上の項目に記載された事項が必要に応じて組み合わせて使用されてよいし、ある項目に記載された事項が、別の項目に記載された事項に(矛盾しない限り)適用されてよい。
【００１１】
＜1．通信システム＞
図1は実施の形態で使用されるLTEアドバンスト方式の通信システムを示す。図1にはマクロ基地局(eNB)11と、マクロ基地局(eNB)11により制御されるマクロセル12と、マクロセル12内に位置するピコ基地局13と、ピコ基地局13により制御されるピコセル14と、マクロセル12内に位置する別のピコ基地局15と、ピコ基地局15により制御されるピコセル16及び17とが示されている。マクロ基地局(eNB)、ピコ基地局、マクロセル及びピコセルの数や大小関係は単なる一例に過ぎず、適切な任意の数及び大小関係とすることができる。マクロ基地局(eNB)11及びピコ基地局13、15は通信リンク(例えば、x2インターフェース)を通じて互いに信号を送受信することができる。
【００１２】
図示の通信システムにおいて、ユーザ装置(UE)(不図示)は、1つ又は複数のキャリアを用いて通信を行うことができる。個々のキャリアはコンポーネントキャリア(CC)と呼ばれる。図示の例において、マクロセル12のCCの周波数はf1であり、ピコセル14のCCの周波数はf3であり、ピコセル16のCCの周波数はf2であり、ピコセル17のCCの周波数はf3である。複数のキャリアを用いて通信を行うことは、キャリアアグリゲーション(CA)と呼ばれる。CAを行う場合、相対的に信頼性が高いコンポーネントキャリア(CC)のセルがプライマリセル(Pセル)に設定され、Pセルで使用されるCCはプライマリコンポーネントキャリア(PCC)と呼ばれる。CAを行う際にPセルと共に使用される他の1つ以上のセルはセカンダリセル(Sセル)に設定され、Sセルで使用されるCCはセカンダリコンポーネントキャリア(SCC)と呼ばれる。CAを行うためには、複数のCCのセルが地域的に重複していることに加えて、個々のセルがCAの通信処理を実行できるようになっている必要がある。言い換えれば、CAを実行できるCC又はセルの組み合わせが予め規定されている。図示の例の場合、マクロセル12とピコセル14とでCAを行うことができる。また、ピコセル16とピコセル17とでCAを行うことができる。図示の例の場合、他のセルの組み合わせでCAを行うことはできない。
【００１３】
図2は、20MHzのシステム帯域幅を有する第1のシステムのコンポーネントキャリアCC1と、CC1に隣接する20MHzのシステム帯域幅を有する第2のシステムのコンポーネントキャリアCC2とを用いてキャリアアグリゲーション(CA)を行う様子を示す。この場合、CC1及びCC2により全体で40MHzの連続的な帯域幅を用いて通信を行うことができる。
【００１４】
図3は、10MHzのシステム帯域幅を有する第1のシステムのコンポーネントキャリアCC1と、CC1から隔たった10MHzのシステム帯域幅を有する第2のシステムのコンポーネントキャリアCC2とを用いてキャリアアグリゲーション(CA)を行う様子を示す。この場合、連続してはいないCC1及びCC2により全体で20MHzの帯域幅を用いて通信を行うことができる。
【００１５】
＜2．動作例＞
図4は、図1の通信システムの基地局11、13、15(典型的には、マクロ基地局(eNB)11)が実行する動作例のフローチャートを示す。フローはステップ41から始まり、ステップ42に進む。
【００１６】
ステップ41において、基地局(eNB)は、CAを行うことが可能なユーザ装置(UE)についてSセルの追加又は削除を通知する必要の有無を判定する。どのような場合にSセルの追加又は削除を通知するかについては、後述する(2.1-2.8)。Sセルの追加又は削除の通知が不要であった場合、フローはステップ45に進み、終了する。Sセルの追加又は削除の通知が必要であった場合、フローはステップ43進む。
【００１７】
ステップ43において、基地局(eNB)は、Sセルの追加又は削除を示す追加削除メッセージを少なくとも含む制御メッセージを生成する。制御メッセージは例えばRRCメッセージである。
【００１８】
ステップ44において、基地局(eNB)は、追加削除メッセージを少なくとも含む制御メッセージをユーザ装置(UE)に通知する。これによりユーザ装置(UE)はSセルを追加又は削除する旨の指示に応じて例えばパラメータを設定し、CAを行いながら又は行わなずに通信を行う。
【００１９】
以下、2.1-2.8において、ユーザ装置(UE)に追加削除メッセージを通知する契機を説明する。2.1-2.8で説明される8つの契機は限定的ではなく例示的に列挙されているにすぎず、他の契機が使用されてもよい。また、2.1-2.8の8つの契機は単独で使用されてもよいし、8つの契機のうちの2つ以上の契機の組み合わせが使用されてもよい。
【００２０】
＜＜2.1  Sセル品質に基づくSセル数の変更＞＞
Sセルの追加又は削除を行うための第1の契機は、Sセルの品質に基づく。ユーザ装置(UE)は、Pセルの品質を基地局(eNB)に報告することに加えて、1つ以上のSセルが設定されている場合には1つ以上のSセルの品質も基地局(eNB)に報告する。報告は定期的に及び/又は非定期的に行われてもよい。品質の報告は、Pセルで行われてもよいし、Sセルで行われてもよい。下りリンクの品質は、例えば、無線リソース管理のメジャーメントレポート(Radio  Resource  Measurement  Measurement  Report)による品質(例えば、希望信号電力対干渉信号電力(SIR)等)や、チャネル品質インジケータ(CQI)等により表現されてもよい。上りリンクの品質は、ユーザ装置(UE)が送信したリファレンス信号の受信品質により表現されてもよい。品質は、受信レベルと呼ばれてもよい。品質は、当該技術分野で既知の適切な如何なる量で測定されてもよい。例えば、品質又は受信レベルは、受信強度(RSSI)、希望信号電力対干渉電力比(SIR)、希望信号電力対干渉プラス雑音電力比(SINR)、Eb/No、CQI、CNR、CIR等により表現されてもよいが、これらに限定されない。
【００２１】
図5はSセルの品質に応じてSセルの追加又は削除を行う動作を説明するためのSセルの品質の時間変化を示す。Sセルの品質は、時刻0からt1に至るまで増加し、時刻t1においてSセル追加閾値を超える。これに応じて、基地局(eNB)はこのSセルをユーザ装置(UE)に対して追加することをユーザ装置(UE)に通知する。この期間では、Sセルについての品質が高いので、Pセル及びSセルで(CAにより)高速通信を行うことができるからである。
【００２２】
図示の例の場合、時刻t1以降t2までの間、Sセルの品質はSセル追加閾値以上である。時刻t2以降、Sセルの品質は低下し、時刻t3においてSセル削除閾値未満にまで低下する。時刻t3において、基地局(eNB)はこのユーザ装置(UE)についてSセルを削除することをユーザ装置(UE)に通知する。この期間では、Sセルについての品質が低いので、Pセル及びSセルで高速通信を実行できる見込みが少ないからである。
【００２３】
Sセルの品質は、時刻t3以降再び上昇し、時刻t4でSセル追加閾値を超える。これに応じて、基地局(eNB)はこのSセルをこのユーザ装置(UE)について追加することをユーザ装置(UE)に通知する。この期間では、Sセルについての品質が高いので、Pセル及びSセルで(CAにより)高速通信を行うことができるからである。以後図示されてはいないが同様に、Sセルの品質が、Sセル追加閾値を超えればそのSセルが追加され、Sセル削除閾値を下回ればそのSセルが削除される。
【００２４】
これにより、Sセルで高速通信を行うことが可能な状態に限ってPセルだけでなくSセルも使用するキャリアアグリゲーション(CA)が行われる。Sセルで高速通信が期待できない場合、そのSセルは使用されないようにすることができる。
【００２５】
図示の例の場合、Sセルを追加するか否かを判定するためのSセル追加閾値と、Sセルを削除するか否かを判定するためのSセル削除閾値とが別々の値に設定されている。Sセル追加閾値はSセル削除閾値よりも高く設定される。仮にSセル追加閾値及びSセル削除閾値が同じ値であった場合、Sセルの追加及び削除が頻繁に生じ(ばたつきが生じ)、Sセルを追加及び削除するための制御信号が過剰に多くなってしまうことが懸念される。Sセル追加閾値及びSセル削除閾値を異なる値に設定することで、Sセルを追加した直後にSセルを削除しなければならなくなってしまうこと(或いは逆にSセルを削除した直後にSセルを追加しなければならなくなってしまうこと)を防止できる。
【００２６】
Sセルの追加及び削除のばたつきを防止する観点からは、Sセルの品質を平均化することが望ましい。例えば、Sセルの品質の瞬時値ではなく、Sセルの品質を一定の期間にわたって平均化した品質とSセル追加閾値(又はSセル削除閾値)との大小関係が判定されてもよい。平均化の際に、一定の期間にわたってではなく、離散的な時点における複数の品質の値が平均化されてもよい。
【００２７】
また、Sセルの追加及び削除のばたつきを防止する観点からは、Sセルが追加された後一定期間の間、Sセルの削除が禁止されるように、Sセルの削除を禁止する期間を計測するSセル削除禁止タイマが、Sセルの追加と共に起動されてもよい。Sセル削除禁止タイマが起動している間は、Sセルの品質によらず、Sセルの削除は禁止され、Sセル削除禁止タイマの満了後でなければ、Sセルの削除は許可されない。図中、「T.O.」とあるのはタイマの満了を示す。逆に、Sセルが削除された後一定期間の間、Sセルの追加が禁止されるように、Sセルの追加を禁止する期間を計測するSセル追加禁止タイマが、Sセルの削除と共に起動されてもよい。Sセル追加禁止タイマが起動している間は、Sセルの品質によらず、Sセルの追加は禁止され、Sセル追加禁止タイマの満了後でなければ、Sセルの追加は許可されない。Sセル削除禁止タイマ及びSセル追加禁止タイマが計時する期間は、適切な如何なる値に設定されてもよいが、不要なSセルを速やかに削除する観点からは、Sセル削除禁止タイマがSセル追加禁止タイマより短いことが望ましい。
【００２８】
＜＜2.2  eNB処理負荷に基づくSセル数の変更＞＞
Sセルの追加又は削除を行うための第2の契機は、基地局(eNB)の処理負荷に基づく。基地局(eNB)の処理負荷は、適切な如何なる観点から表現されてもよい。
【００２９】
基地局(eNB)の処理負荷は、例えば、Pセル及び/又はSセルに在圏しているユーザ装置(UE)の数により表現されてもよい。そのユーザ装置(UE)の数が多いほど基地局(eNB)の処理負荷は重い。
【００３０】
基地局(eNB)の処理負荷は、例えば、Pセル及び/又はSセルに在圏しているユーザ装置(UE)のうちコネクションが設定されているユーザ装置(UE)の数により表現されてもよい。そのユーザ装置(UE)の数が多いほど基地局(eNB)の処理負荷は重い。
【００３１】
基地局(eNB)の処理負荷は、例えば、Pセル及び/又はSセルにおけるアクティブ状態のユーザ装置(UE)の数、インアクティブ状態のユーザ装置(UE)の数又は間欠受信状態(DRX)のユーザ装置(UE)の比率(コネクション状態の全UEに対する比率)により表現されてもよい。なお、接続ユーザ装置(UE)の数が多いほど基地局(eNB)の処理負荷は重いが、DRXのユーザ装置(UE)の比率については、その値が大きいほど基地局(eNB)の処理負荷は軽い。
【００３２】
基地局(eNB)の処理負荷は、例えば、Pセル及び/又はSセルで設定されているベアラ数(論理チャネル数)により表現されてもよい。基地局(eNB)の処理負荷は、Pセル及び/又はSセルで設定されているベアラ数(論理チャネル数)により表現されてもよい。ベアラ数が多いほど基地局(eNB)の処理負荷は重い。
【００３３】
基地局(eNB)の処理負荷は、例えば、基地局(eNB)におけるハードウェア資源の使用率(例えば、CPU使用率やバッファ使用率)により表現されてもよい。使用率が大きいほど基地局(eNB)の処理負荷は重い。
【００３４】
基地局(eNB)の処理負荷は、例えば、セルの中で個別リソースが設定されているユーザ装置(UE)の数により表現されてもよい。そのユーザ装置の数が多いほど基地局(eNB)の処理負荷は重い。
【００３５】
基地局(eNB)の処理負荷は、例えば、キャリアアグリゲーション(CA)を行っているユーザ装置(UE)の数により表現されてもよい。CAを行っているユーザ装置(UE)は、Sセルが追加されているユーザ装置(UE)の数でもよいし、或いは追加されたSセルがアクティブになっているユーザ装置(UE)の数でもよい。いずれにせよ、そのユーザ装置の数が多いほど基地局(eNB)の処理負荷は重い。
【００３６】
基地局(eNB)の処理負荷は、例えば、セルにおける平均送受信レート(平均スループット)により表現されてもよい。平均送受信レートが大きいほど基地局(eNB)の処理負担は重い。
【００３７】
基地局(eNB)の処理負荷は、例えば、セル毎に決定されてもよいし、或いはベースバンド(BB)リソースのような処理機能部毎に測定されてもよい。
【００３８】
これらの処理負担は一例にすぎず、他の観点から基地局(eNB)の処理負荷が表現されてもよい。
【００３９】
図6は基地局(eNB)の処理負荷に応じてSセルの追加又は削除を行う動作を説明するための処理負荷の時間変化を示す。概して図5と同様であるが、Sセル追加閾値及びSセル削除閾値の大小関係が逆である点に留意を要する。Sセルの品質は、時刻0以降減少し、時刻t1においてSセル追加閾値を下回る。これに応じて、基地局(eNB)はこのSセルをこのユーザ装置(UE)について追加することをユーザ装置(UE)に通知する。この期間では、基地局(eNB)の処理負荷が軽いので、ユーザ装置(UE)がPセル及びSセルを用いて高速通信を行うべきだからである。
【００４０】
図示の例の場合、時刻t1以降t3までの間、Sセルの品質はSセル削除閾値未満である。時刻t1以降、基地局(eNB)の処理負荷は軽く、時刻t3においてSセル削除閾値に達する。時刻t4において、基地局(eNB)はこのSセルをこのユーザ装置(UE)について削除することをユーザ装置(UE)に通知する。この期間では、基地局(eNB)の処理負荷が高いので、Sセルを用いた高速通信を控えるようにすべきだからである。
【００４１】
基地局(eNB)の処理負荷は、時刻t3以降再び減少し、時刻t4でSセル追加閾値を下回る。これに応じて、基地局(eNB)はこのSセルをこのユーザ装置(UE)について追加することをユーザ装置(UE)に通知する。この期間では、基地局(eNB)の処理負荷が軽いので、ユーザ装置(UE)がPセル及びSセルを用いて高速通信を行うことを促すべきだからである。以後図示されてはいないが同様に、基地局(eNB)の処理負荷が、Sセル削除閾値を超えればそのSセルは削除され、Sセル追加閾値を下回ればそのSセルが追加される。
【００４２】
これにより、基地局(eNB)の処理負荷が軽い状態に限ってキャリアアグリゲーション(CA)が促進され、基地局(eNB)の処理負荷が重い場合、CAは抑制されるようにし、例えば基地局(eNB)の輻輳を回避できる。
【００４３】
図5に示す例と同様に、図6に示す例においても、Sセルを追加するか否かを判定するためのSセル追加閾値と、Sセルを削除するか否かを判定するためのSセル削除閾値とが別々の値に設定され、ばたつきを防止できる。ただし、Sセル追加閾値はSセル削除閾値よりも低く設定されている点が図5に示す例と異なる。
【００４４】
図5に示す例と同様に、図6に示す例においても、Sセルの追加及び削除のばたつきを防止する観点からは、基地局(eNB)の処理負荷を平均化することが望ましい。例えば、基地局(eNB)の処理負荷の瞬時値ではなく、基地局(eNB)の処理負荷を一定の期間にわたって平均化した処理負荷とSセル追加閾値(又はSセル削除閾値)との大小関係が判定されてもよい。平均化の際に、一定の期間にわたってではなく、離散的な時点における複数の処理負荷の値が平均化されてもよい。
【００４５】
また、Sセルの追加及び削除のばたつきを防止する観点からは、Sセルが追加された後一定期間の間、Sセルの削除が禁止されるように、Sセルの削除を禁止する期間を計測するSセル削除禁止タイマが、Sセルの追加と共に起動されてもよい。Sセル削除禁止タイマが起動している間は、基地局(eNB)の処理負荷によらず、Sセルの削除は禁止され、Sセル削除禁止タイマの満了後でなければ、Sセルの削除は許可されない。図中、「T.O.」はタイマの満了を示す。逆に、Sセルが削除された後一定期間の間、Sセルの追加が禁止されるように、Sセルの追加を禁止する期間を計測するSセル追加禁止タイマが、Sセルの削除と共に起動されてもよい。Sセル追加禁止タイマが起動している間は、基地局(eNB)の処理負荷によらず、Sセルの追加は禁止され、Sセル追加禁止タイマの満了後でなければ、Sセルの追加は許可されない。Sセル削除禁止タイマ及びSセル追加禁止タイマが計時する期間は、適切な如何なる値に設定されてもよいが、不要なSセルを速やかに削除する観点からは、Sセル削除禁止タイマがSセル追加禁止タイマより短いことが望ましい。
【００４６】
＜＜2.3  データ滞留量に基づくSセル数の変更＞＞
Sセルの追加又は削除を行うための第3の契機は、ユーザ装置(UE)のデータ滞留量に基づく。ユーザ装置(UE)のデータ滞留量は、ユーザ装置(UE)との間で送受信を待機しているデータ量により表現されてよい。
【００４７】
ユーザ装置(UE)のデータ滞留量は、上下リンクでデータを処理するレイヤ毎に測定されてもよい。ユーザ装置(UE)のデータ滞留量は、例えば、下りリンクのPDCPレイヤにおけるサービスデータユニット(SDU)の滞留量、下りリンクのRLCレイヤにおけるSDUの滞留量、下りリンクのRLCレイヤにおけるプロトコルデータユニット(PDU)、MACレイヤにおけるHARQ送信データの滞留量により表現されてもよい。また、本データ滞留量はユーザ毎、ベアラ毎の平均スループット等で正規化されてもよい。
【００４８】
ユーザ装置(UE)のデータ滞留量は、例えば、上りリンクのPDCPレイヤにおけるSDUの滞留量、上りリンクのRLCレイヤにおけるSDUの滞留量、上りリンクのRLCレイヤにおけるプロトコルデータユニット(PDU)の滞留量により表現されてもよい。
【００４９】
ところで、ベアラには、制御信号用のベアラ(SRB)とユーザデータ用のベアラ(DRB)とが存在し、これらのベアラの送受信レート(スループット)が大きい場合、データ滞留量も多いことが推定される。従って、ユーザ装置(UE)のデータ滞留量は、例えば、ベアラ毎の送受信レート(スループット)により表現されてもよい。或いは、ユーザ装置(UE)のデータ滞留量は、例えば、DRBのベアラの送受信レート(スループット)により表現されてもよい。或いは、ユーザ装置(UE)のデータ滞留量は、所定の送受信レートを上回る（或いは下回る）ベアラの数(論理チャネル数)により表現されてもよい。
【００５０】
これらのデータ滞留量の測定法処理負担は一例にすぎず、他の観点から基地局(eNB)の処理負荷が表現されてもよい。
【００５１】
図7はユーザ装置(UE)のデータ滞留量に応じてSセルの追加又は削除を行う動作を説明するためのユーザ装置(UE)のデータ滞留量の時間変化を示す。データ滞留量は、時刻0からt1に至るまで増加し、時刻t1においてSセル追加閾値を超える。これに応じて、基地局(eNB)はこのSセルをこのユーザ装置(UE)について追加することをユーザ装置(UE)に通知する。この期間では、ユーザ装置のデータ滞留量が多いので、Pセル及びSセルを用いて高速通信を行い、データ滞留量を減らすべきだからである。
【００５２】
図示の例の場合、時刻t1以降t2までの間、データ滞留量はSセル追加閾値以上である。時刻t2以降、データ滞留量は減少し、時刻t3においてSセル削除閾値未満にまで低下する。時刻t3において、基地局(eNB)はこのSセルをこのユーザ装置(UE)について削除することをユーザ装置(UE)に通知する。この期間では、ユーザ装置のデータ滞留量は少ないので、Pセル及びSセルによる高速通信は不要だからである。
【００５３】
ユーザ装置のデータ滞留量は、時刻t3以降再び上昇し、時刻t4でSセル追加閾値を超える。これに応じて、基地局(eNB)はこのSセルをこのユーザ装置(UE)について追加することをユーザ装置(UE)に通知する。この場合、ユーザ装置のデータ滞留量が多いので、Pセル及びSセルを用いて高速通信を行い、データ滞留量を減らすべきだからである。以後図示されてはいないが同様に、データ滞留量が、Sセル追加閾値を超えればSセルが追加され、Sセル削除閾値を下回ればSセルが削除される。
【００５４】
これにより、ユーザ装置のデータ滞留量が多い場合に限ってPセルだけでなくSセルも使用される。ユーザ装置のデータ滞留量が少ない場合、CAを行っても有意義ではないのでSセルが追加されていればそれが削除される。
【００５５】
図示の例の場合、Sセルを追加するか否かを判定するためのSセル追加閾値と、Sセルを削除するか否かを判定するためのSセル削除閾値とが別々の値に設定されている。Sセル追加閾値はSセル削除閾値よりも高く設定され、ばたつきを防止する。
【００５６】
Sセルの追加及び削除のばたつきを防止する観点からは、ユーザ装置のデータ滞留量を平均化することが望ましい。例えば、ユーザ装置のデータ滞留量の瞬時値ではなく、ユーザ装置のデータ滞留量を一定の期間にわたって平均化したデータ滞留量とSセル追加閾値(又はSセル削除閾値)との大小関係が判定されてもよい。平均化の際に、一定の期間にわたってではなく、離散的な時点における複数の品質の値が平均化されてもよい。
【００５７】
更に、Sセルの追加及び削除のばたつきを防止する観点からは、Sセルが追加された後一定期間の間、Sセルの削除が禁止されるように、Sセルの削除を禁止する期間を計測するSセル削除禁止タイマが、Sセルの追加と共に起動されてもよい。Sセル削除禁止タイマが起動している間は、ユーザ装置のデータ滞留量によらず、Sセルの削除は禁止され、Sセル削除禁止タイマの満了後でなければ、Sセルの削除は許可されない。図中、「T.O.」とあるのはタイマの満了を示す。逆に、Sセルが削除された後一定期間の間、Sセルの追加が禁止されるように、Sセルの追加を禁止する期間を計測するSセル追加禁止タイマが、Sセルの削除と共に起動されてもよい。Sセル追加禁止タイマが起動している間は、ユーザ装置のデータ滞留量によらず、Sセルの追加は禁止され、Sセル追加禁止タイマの満了後でなければ、Sセルの追加は許可されない。Sセル削除禁止タイマ及びSセル追加禁止タイマが計時する期間は、適切な如何なる値に設定されてもよいが、不要なSセルを速やかに削除する観点からは、Sセル削除禁止タイマがSセル追加禁止タイマより短いことが望ましい。
【００５８】
図5、図6及び図7を参照しながら説明した測定値と閾値とを比較する判定方法(2.1-2.3)は単独で使用されてもよいし、組み合わせて使用されてもよい。図8は図5、図6及び図7を参照しながら説明した判定方法(2.1-2.3)の全てを並列的に使用する動作例を示す。図示の動作例は、図4に示すフローチャートにおいて、ステップ42においてYであった場合(すなわち、ユーザ装置(UE)にSセルの追加又は削除を通知する必要があった場合)、ステップ43-45として使用される。
【００５９】
フローはステップ801(ステップ42においてYであった場合)からステップ802、809、811に進む。
【００６０】
ステップ802において、Sセルの品質がSセル追加閾値以上であるか否かが判定される。Sセルの品質がSセル追加閾値以上であった場合、フローはステップ803に進む。ステップ803において、基地局(eNB)は、Sセルを追加することを示す追加削除メッセージを含む制御メッセージを生成する。ステップ804において、基地局(eNB)は、制御メッセージをユーザ装置に通知する。これに応じてユーザ装置(UE)はSセルを追加する。その後、フローはステップ805に進み、終了する。
【００６１】
一方、ステップ802において、Sセルの品質がSセル追加閾値以上でなかった場合、フローはステップ806に進む。ステップ806において、Sセルの品質がSセル削除閾値未満であるか否かが判定される。Sセルの品質がSセル削除閾値未満であった場合、フローはステップ807に進む。ステップ807において、基地局(eNB)は、Sセルを削除することを示す追加削除メッセージを含む制御メッセージを生成する。ステップ808において、基地局(eNB)は、制御メッセージをユーザ装置に通知する。これに応じてユーザ装置(UE)はSセルを削除する。その後、フローはステップ805に進み、終了する。ステップ806において、Sセルの品質がSセル削除閾値未満でなかった場合も、フローはステップ805に進み、終了する。
【００６２】
また、ステップ801に続くステップ809において、基地局の処理負荷がSセル追加閾値未満であるか否かが判定される。基地局の処理負荷がSセル追加閾値未満であった場合、Sセルを追加するためにステップ803、804、805における説明済みの処理が行われる。一方、ステップ809において、基地局の処理負荷がSセル追加閾値未満でなかった場合、フローはステップ810に進む。ステップ810において、基地局の処理負荷がSセル削除閾値以上であるか否かが判定される。基地局の処理負荷がSセル削除閾値以上であった場合、Sセルを削除するためにステップ807、808、805における説明済みの処理が行われる。ステップ810において、基地局の処理負荷がSセル削除閾値以上でなかった場合も、フローはステップ805に進み、終了する。
【００６３】
また、ステップ801に続いて、ステップ811において、ユーザ装置のデータ滞留量がSセル追加閾値以上であるか否かが判定される。ユーザ装置のデータ滞留量がSセル追加閾値以上であった場合、Sセルを追加するためにステップ803、804、805における説明済みの処理が行われる。一方、ステップ811において、ユーザ装置のデータ滞留量がSセル追加閾値以上でなかった場合、フローはステップ812に進む。ステップ812において、ユーザ装置のデータ滞留量がSセル削除閾値未満であるか否かが判定される。ユーザ装置のデータ滞留量がSセル削除閾値未満であった場合、Sセルを削除するためにステップ807、808、805における説明済みの処理が行われる。ステップ812において、ユーザ装置のデータ滞留量がSセル削除閾値未満でなかった場合も、フローはステップ805に進み、終了する。
【００６４】
図8は図5、図6及び図7を参照しながら説明した判定方法(2.1-2.3)の全てを並列的に使用する例を示すが、3つの判定方法(2.1-2.3)のうちの任意の2つが組み合わせて使用されてもよい。
【００６５】
＜＜2.4  他のメッセージと共に行うSセル数の変更＞＞
図5、図6、図7及び図8を参照しながら説明した例では、所定の測定対象と閾値との大小関係により、Sセルを追加するか否か又はSセルを削除するか否かが判断されていた。開示される発明はそのように閾値と比較する例に限定されず、他の観点からSセル数を変更してもよい。Sセルの追加又は削除を行うための第4の契機は、基地局(eNB)が、Sセルの追加又は削除を示す追加削除メッセージ以外の非追加削除メッセージをユーザ装置(UE)に通知する手順に基づく。
【００６６】
後述するように、非追加削除メッセージは、例えば、(1)ユーザ装置(UE)の初期アクセスにおいてRRCコネクションの再設定を促すメッセージ、(2)ユーザ装置(UE)の再接続においてRRCコネクションの再設定を促すメッセージ、(3)ユーザ装置(UE)がハンドオーバを行う場合のハンドオーバコマンドのメッセージ等である。
【００６７】
(2.4.1)
図9はユーザ装置(UE)による初期アクセスの際の手順を示す。
【００６８】
ステップ91において、ユーザ装置(UE)はコネクションを確立することを要求するRRCコネクションリクエスト(RRC  connection  request)のメッセージを基地局(eNB)に通知する。
【００６９】
ステップ92において、基地局(eNB)は、RRCコネクションリクエストのメッセージに応答して、コネクションを確立するために必要なパラメータ値等を通知するためにRRCコネクションセットアップ(RRC  connection  setup)のメッセージをユーザ装置(UE)に通知する。
【００７０】
ステップ93において、ユーザ装置(UE)はコネクションの確立が完了したことを示すRRCコネクションセットアップコンプリート(RRC  connection  setup  complete)のメッセージを基地局(eNB)に通知する。
【００７１】
ステップ94において、ユーザ装置(UE)及び基地局(eNB)の間で認証手順、NAS(Non  Access  Stratum)の処理手順及びセキュリティ手順が実行される。この段階において、ユーザ装置(UE)は何らかの特定の1つのコンポーネントキャリア(CC)を用いて通信できるように設定されている。この段階では未だキャリアアグリゲーション(CA)を行うことはできない。
【００７２】
ステップ95において、基地局(eNB)は、コネクションの設定を再設定するためのRRCコネクションリコンフィギュレーション(RRC  connection  reconfiguration)のメッセージをユーザ装置(UE)に通知する。実施の形態の場合、このメッセージに、Sセルを追加すべき旨の通知(Sセルの追加を示す追加削除メッセージ)が含まれている。
【００７３】
ステップ96において、ユーザ装置(UE)は、コネクションの再設定が完了したことを示すRRCコネクションリコンフィギュレーションコンプリート(RRC  connection  re-configuration  complete)のメッセージを基地局(eNB)に通知する。これにより、ユーザ装置(UE)は、必要に応じてSセルをアクティベートすることでCAにより通信を実行できるようになる。
【００７４】
(2.4.2)
図10はユーザ装置(UE)が再接続を行う際の手順を示す。
【００７５】
ステップ101において、ユーザ装置(UE)は再接続を要求するRRCコネクション再接続リクエスト(RRC  connection  re-establishment  request)のメッセージを基地局(eNB)に通知する。
【００７６】
ステップ102において、基地局(eNB)は、RRCコネクション再接続リクエストのメッセージに応答して、再接続に必要なパラメータ値等を通知するためにRRCコネクション再接続  (RRC  connection  re-establishment)のメッセージをユーザ装置(UE)に通知する。
【００７７】
ステップ103において、ユーザ装置(UE)は再接続が完了したことを示すRRCコネクション再接続コンプリート(RRC  connection  re-establishment  complete)のメッセージを基地局(eNB)に通知する。この段階において、ユーザ装置(UE)は何らかの特定の1つのコンポーネントキャリア(CC)を用いて通信できるように設定されている。この段階では未だキャリアアグリゲーション(CA)を行うことはできない。
【００７８】
ステップ104において、基地局(eNB)は、コネクションの設定を再設定するためのRRCコネクションリコンフィギュレーション(RRC  connection  reconfiguration)のメッセージをユーザ装置(UE)に通知する。実施の形態の場合、このメッセージに、Sセルを追加すべき旨の通知(Sセルの追加を示す追加削除メッセージ)が含まれている。
【００７９】
ステップ105において、ユーザ装置(UE)は、コネクションの再設定が完了したことを示すRRCコネクションリコンフィギュレーションコンプリート(RRC  connection  re-configuration  complete)のメッセージを基地局(eNB)に通知する。これにより、ユーザ装置(UE)は、必要に応じてSセルをアクティベートすることでCAにより通信を実行できるようになる。
【００８０】
(2.4.3)
図11はユーザ装置(UE)がハンドオーバを行う際の手順を示す。
【００８１】
ステップ111において、ユーザ装置(UE)はメジャーメントレポート(measurement  report)を基地局(eNB)に送信し、ハンドオーバが必要であることを通知する。
【００８２】
ステップ112において、基地局(eNB)はハンドオーバを行うべきことを指示するためにハンドオーバコマンド(HO  command)をユーザ装置(UE)に通知する。実施の形態の場合、このメッセージに、Sセルを追加又は削除すべき旨の通知(Sセルの追加又は削除を示す追加削除メッセージ)が含まれている。
【００８３】
ステップ113において、ユーザ装置(UE)は、コネクションの再設定が完了したことを示すRRCコネクションリコンフィギュレーションコンプリート(RRC  connection  re-configuration  complete)のメッセージを基地局(eNB)に通知する。
【００８４】
図9のステップ95、図10のステップ104、図11のステップ112のように、Sセルの追加又は削除以外の指示情報をユーザ装置(UE)に通知する手順の後又はその最中に、Sセルを追加又は削除する指示情報をユーザ装置(UE)に通知することで、手順の効率化を図ることができる。
【００８５】
＜＜2.5  DRX状態遷移と共に行うSセル数の変更＞＞
Sセルの追加又は削除を行うための第5の契機は、ユーザ装置(UE)が間欠受信状態(DRX)から間欠受信状態でない状態(非DRX)に遷移する手順に基づく。ユーザ装置(UE)は、送受信するデータがなくなって一定期間が経過すると、制御信号を間欠的に受信する間欠受信状態(DRX)に移り、バッテリ消費量を節約する。
【００８６】
図12は、ユーザ装置(UE)がDRX状態から非DRX状態に移る際の手順を示す。先ず、ユーザ装置(UE)はDRX状態であった場合に、そのユーザ装置(UE)に送信すべきデータが発生したとする。この場合、ステップ121において、基地局(eNB)は同期をとることを要求する同期リクエスト(Sync  Request)のメッセージをユーザ装置(UE)に通知する。これにより、ステップ122において、ランダムアクセス(RA)手順が行われ、ユーザ装置(UE)は、DRX状態から非DRX状態に遷移する。この段階において、ユーザ装置(UE)は何らかの特定の1つのコンポーネントキャリア(CC)を用いて通信できるように設定されている。この段階では未だキャリアアグリゲーション(CA)を行うことはできない。
【００８７】
なお、ユーザ装置(UE)がDRX状態であった場合において、上りデータが発生した場合、ランダムアクセス(RA)手順はユーザ装置(UE)の側から開始される。
【００８８】
ステップ123において、基地局(eNB)は、コネクションの設定を再設定するためのRRCコネクションリコンフィギュレーション(RRC  connection  reconfiguration)のメッセージをユーザ装置(UE)に通知する。実施の形態の場合、このメッセージに、Sセルを追加することの通知(Sセルの追加を示す追加削除メッセージ)が含まれている。
【００８９】
ステップ124において、ユーザ装置(UE)は、コネクションの再設定が完了したことを示すRRCコネクションリコンフィギュレーションコンプリート(RRC  connection  re-configuration  complete)のメッセージを基地局(eNB)に通知する。これにより、ユーザ装置(UE)は、必要に応じてSセルをアクティベートすることでCAにより通信を実行できるようになる。
【００９０】
図12に示す例では、下りデータが発生したことに応じてSセルがアクティブ化されたが、開示される発明はそのような場合に限定されず、下りデータの発生とは別に基地局(eNB)はSセルの追加又は削除を行ってもよい。ただし、Sセルの追加又は削除を行う場合、ユーザ装置(UE)は非DRX状態である必要がある。従って、DRX状態であったユーザ装置(UE)は、図12のステップ122のようなRA手順後に、DRX状態から非DRX状態に遷移する。そして、Sセルが追加又は削除された後、ユーザ装置(UE)は再び元のDRX状態に遷移してもよい。
【００９１】
＜＜2.6  Sセル数の周期的な変更＞＞
Sセルの追加又は削除を行うための第6の契機は、周期的なタイミングに基づく。図13は周期的なタイミングに基づいてSセルを追加及び削除する様子を示す。この場合、Sセルを追加する周期的なタイミングを計測する追加タイマと、Sセルを削除する周期的なタイミングを計測する削除タイマとが使用される。追加タイマの周期は削除タイマの周期より長い。この場合、図示されているように、追加タイマが満了する毎に、Sセルを追加するための追加削除メッセージが基地局(eNB)からユーザ装置(UE)へ通知される。この追加削除メッセージの通知と共に、追加タイマ及び削除タイマが起動される。更に、追加タイマより短い削除タイマが満了する毎に、Sセルを削除するための追加削除メッセージが基地局(eNB)からユーザ装置(UE)へ通知される。従って、Sセル追加タイマ及びSセル削除タイマが起動した後、Sセル削除タイマが満了するまでの間は、Sセルが追加されている。そして、Sセル削除タイマが満了した後、Sセル追加タイマ及びSセル削除タイマが再び起動するまでの間は、Sセルが削除されている。
【００９２】
このように、追加タイマ及び削除タイマに基づいて、周期的にSセルを追加及び削除することで、ユーザ装置(UE)がCAにより通信できる時間を、時間軸上で分散することができる。
【００９３】
＜＜2.7  UEからの要求に基づくSセル数の変更＞＞
Sセルの追加又は削除を行うための第7の契機は、ユーザ装置(UE)の要求に基づく。図14はユーザ装置(UE)からの要求に応じてSセルを追加又は削除する際の動作例を示す。
【００９４】
ステップ141に示すように、Sセルが設定されているユーザ装置(UE)が、バッテリセービングを行うこと(例えば、DRX状態に遷移すること)を希望するバッテリセービング要求のメッセージを基地局(eNB)に送信する。
【００９５】
ステップ142おいて、基地局(eNB)は、コネクションの設定を再設定するためのRRCコネクションリコンフィギュレーション(RRC  connection  reconfiguration)のメッセージをユーザ装置(UE)に通知する。実施の形態の場合、このメッセージに、Sセルを削除すべき旨の通知(Sセルの削除を示す追加削除メッセージ)が含まれている。
【００９６】
ステップ143において、ユーザ装置(UE)は、コネクションの再設定が完了したことを示すRRCコネクションリコンフィギュレーションコンプリート(RRC  connection  re-configuration  complete)のメッセージを基地局(eNB)に通知する。これにより、以後、ユーザ装置(UE)は、Sセルを削除する。
【００９７】
図示の例では、ユーザ装置(UE)によるバッテリセービング要求に応じてSセルを削除していたが、実施の形態はこの例に限定されない。例えば、ステップ141の代わりにユーザ装置(UE)が高速通信を要求するメッセージを基地局(eNB)に送信し、これに応答してステップS142によりSセルが追加されてもよい。更に、例えば、ステップ141の代わりにユーザ装置(UE)がトラフィックバッファの状態(データ滞留量を示してもよい)を基地局(eNB)に通知し、これに応答してステップ142によりSセルが追加又は削除されてもよい。バッテリセービング要求、高速通信要求及びバッファ状態の通知は、単なる一例にすぎず、ユーザ装置(UE)からの何らかの要求に応じてSセルが追加又は削除されてもよい。
【００９８】
＜＜2.8  ベアラ種別に基づくSセル数の変更＞＞
Sセルの追加又は削除を行うための第8の契機は、ユーザ装置(UE)について設定されたベアラ種別に基づく。ユーザ装置(UE)が通信を行う場合、データ種別毎にベアラが設定される。例えばベストエフォート(Best  Effort：BE)型のデータ通信を行う場合、多くのデータ量が送受信されることが予想されるので、Sセルを追加することが考えられる。逆に、音声データを送受信する場合、送受信されるデータ量は多くないことが予想されるので、Sセルを追加しない（或いは設定されているSセルを削除する）ようにすることが考えられる。
【００９９】
図15はベアラ種別に基づいてSセルを追加する例を示す。ステップ151において、基地局(eNB)は、BE型のデータ通信を行うためのベアラを追加することを決定したとする。
【０１００】
ステップ152において、基地局(eNB)は、コネクションの設定を再設定するためのRRCコネクションリコンフィギュレーション(RRC  connection  reconfiguration)のメッセージをユーザ装置(UE)に通知する。実施の形態の場合、このメッセージに、Sセルを追加すべき旨の通知(Sセルの追加を示す追加削除メッセージ)が含まれている。
【０１０１】
ステップ153において、ユーザ装置(UE)は、コネクションの再設定が完了したことを示すRRCコネクションリコンフィギュレーションコンプリート(RRC  connection  re-configuration  complete)のメッセージを基地局(eNB)に通知する。これにより、ユーザ装置(UE)は、必要に応じてSセルをアクティベートすることでCAにより通信を実行できるようになる。
【０１０２】
仮に、ユーザ装置(UE)にSセルが設定されていた場合において、ステップ151でBEタイプのデータ通信ではなく、音声データを送受信するベアラを追加することを決定した場合、ステップ152において、Sセルを削除することがユーザ装置(UE)に通知される。
【０１０３】
2.1-2.8において説明した8つの契機は一例にすぎず、他の契機が使用されてもよい。また、Sセルの追加及び削除はSセル1つずつ行われてもよいし、2つ以上のSセルが一度に追加及び削除されてもよい。更に、2.1-2.8の8つの契機は単独で使用されてもよいし、8つの契機のうちの任意の2つ以上の組み合わせが使用されてもよい。特に、2.1におけるSセルの品質の良否、2.3におけるデータ滞留量の多少及び2.8におけるベアラ種別に基づいて、1つ以上のSセルの追加及び削除が決定されてもよい。
【０１０４】
＜3．基地局＞
図16は基地局の機能ブロック図を示す。図16には基地局に備わる様々な機能部又は処理部のうち実施の形態に特に関連するものが示されている。図16に示す基地局は図1に示す基地局11、13及び/又は15である。基地局は、DL信号送信部161と、UL信号受信部162と、閾値判定部163と、Sセル管理部164と、制御メッセージ生成部165とを少なくとも有する。
【０１０５】
DL信号送信部161は、ユーザ装置に信号を送信するための処理を行う。
【０１０６】
UL信号受信部162は、ユーザ装置からの信号を受信するための処理を行う。
【０１０７】
閾値判定部163は、所定の測定対象の測定値と閾値とを比較及び/又は判定し、比較結果及び/又は判定結果をSセル管理部164に通知する。所定の測定対象は、Sセルの品質、基地局(eNB)の処理負荷及びユーザ装置(UE)のデータ滞留量等である。閾値は、Sセル追加閾値及びSセル削除閾値である。
【０１０８】
Sセル管理部164は、基地局が管理する複数のセルによるキャリアアグリゲーション(CA)に関する制御又は管理をユーザ装置(UE)毎に行う。Sセル制御部164は、例えば、ユーザ装置がCAを行っているか否か、行っている場合は何れのセルがPセルであり何れのセルがSセルであるか、Sセルを追加するか否か、Sセルを削除するか否か、追加されているSセルをアクティブ化(activate)するか否か、アクティブ化されているSセルを非アクティブ化(deactivate)するか否か等を管理する。
【０１０９】
制御メッセージ生成部165は、ユーザ装置(UE)に通知する制御メッセージを生成する。実施の形態における制御メッセージは、RRCメッセージ等によりユーザ装置(UE)に通知する任意のメッセージを含んでよい。例えば、制御メッセージはSセルを追加することを示す追加削除メッセージを含む。あるいは、制御メッセージはSセルを削除することを示す追加削除メッセージを含む。
【０１１０】
以上、CAを適切な契機で行う実施の形態を説明してきたが、開示される発明はそのような形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、2以上の項目に記載された事項が必要に応じて組み合わせて使用されてよいし、ある項目に記載された事項が、別の項目に記載された事項に(矛盾しない限り)適用されてよい。機能ブロック図における機能部又は処理部の境界は必ずしも物理的な部品の境界に対応するとは限らない。複数の機能部の動作が物理的には1つの部品で行われてもよいし、あるいは1つの機能部の動作が物理的には複数の部品により行われてもよい。説明の便宜上、基地局は機能的なブロック図を用いて説明されたが、そのような装置はハードウェアで、ソフトウェアで又はそれらの組み合わせで実現されてもよい。本発明に従って動作するソフトウェアは、ランダムアクセスメモリ（RAM）、フラッシュメモリ、読み取り専用メモリ（ROM）、EPROM、EEPROM、レジスタ、ハードディスク（HDD）、リムーバブルディスク、CD−ROM、データベース、サーバその他の適切な如何なる記憶媒体に保存されてもよい。本発明は上記実施例に限定されず、本発明の精神から逸脱することなく、様々な変形例、修正例、代替例、置換例等が本発明に包含される。
【符号の説明】
【０１１１】
161  DL信号送信部
162  UL信号受信部
163  閾値判定部
164  Sセル管理部
165  制御メッセージ生成部
【図１】
2014049931.tif 000003
【図２】
2014049931.tif 000004
【図３】
2014049931.tif 000005
【図４】
2014049931.tif 000006
【図５】
2014049931.tif 000007
【図６】
2014049931.tif 000008
【図７】
2014049931.tif 000009
【図８】
2014049931.tif 000010
【図９】
2014049931.tif 000011
【図１０】
2014049931.tif 000012
【図１１】
2014049931.tif 000013
【図１２】
2014049931.tif 000014
【図１３】
2014049931.tif 000015
【図１４】
2014049931.tif 000016
【図１５】
2014049931.tif 000017
【図１６】
2014049931.tif 000018